(57)【要約】【課題】  リモコンを利用して簡単に電子機器の機器設定を個人の要求にあった設定に切り替える。【解決手段】  ＰＶＲ１の受信部１２は通信端末（リモコン）１乃至３からの各種制御信号と識別コードの 受信を行なう。１３は機器制御部であり機器使用権情報部１７に使用権情報が書かれていない状態において、受信部１２が電源ＯＮ信号と識別コードを受信すると識別コードを機器使用権情報部１７へ書き込み、識別コードに応じて機器設定情報１４とファイル管理情報１５を読み込み機器設定部１６への設定を行なう。また機器使用権情報部１７への使用権設定後の通信においては受信部１２が制御信号を受信すると機器使用権情報部１７を参照し受信した制御信号に付加された識別コードの使用権の有無を判定する。  【選択図】  図１
2007251349.tif 000002
【特許請求の範囲】
【請求項１】
電子機器および電子機器を無線送信により操作するリモートコントローラとを有する電子機器システムにおいて、
前記リモートコントローラは、このリモートコントローラに固有の識別コードを記憶する識別コード記憶部と、前記電子機器の電源のオン／オフを指示するための電源スイッチと、前記電子機器へ指示信号を送信する送信部と、前記電源スイッチにより電源オン信号が送信される際に、前記識別コードを同時に送信する通信制御部を具備し、
前記電子機器は、前記リモートコントローラから送信された識別コードを受信する受信部と、受信した識別コードを記憶する機器使用情報記憶部と、この識別コードに応じた機器設定情報とを記憶する機器設定情報記憶部と、電源オン後に、前記リモコンから識別コードを伴う制御信号を受信した場合、前記識別コードが前記機器使用情報記憶部に記憶された識別情報と一致するか否かを判断し、一致した場合に受信した制御信号の動作を実行する機器制御部とを具備していることを特徴とする電子機器システム。
【請求項２】
前記機器制御部は、前記受信した識別コードが前記機器使用情報記憶部に記憶された識別コードと異なった場合、前記受信した制御信号の動作実行を中止し、警告表示を行うことを特徴とする請求項１記載の電子機器システム。
【請求項３】
前記識別コード記憶部は、前記固有の識別コードに加えて、共通に利用可能な識別コードを記憶し、固有の識別コードで利用するか、共通の識別コードで利用するかを切り替える切り替えスイッチを具備していることを特徴とする請求項２記載の電子機器システム。
【請求項４】
前記受信した識別コードが前記機器使用情報記憶部に記憶された識別コードと異なった場合、予め許可された制御信号である場合にのみ、受信した制御信号の動作を実行することを特徴とする請求項２記載の電子機器システム。
【請求項５】
前記リモートコントローラから送信される制御信号を所定時間受信しなかった場合、次回制御信号を受信した時に、パスワードの入力を要求することを特徴とする請求項４記載の電子機器システム。
【発明の詳細な説明】
【技術分野】
【０００１】
本発明は、リモコンなどの無線通信端末を用いて操作実行される電子機器に関し、特に複数のリモコンから操作実行され得る電子機器の制御方法に関するものである。
【背景技術】
【０００２】
従来よりテレビやビデオレコーダなどで用いられるリモコンは、リモコンからテレビなどに対して機器制御信号を無線送信し、機器を制御するものであるが、照テレビやビデオレコーダは、家庭内で、複数の個人が共同で利用するものであるために、個々に機器設定を切り替えて利用したい要求が高い。そこで特許文献１等のように、テレビがリモコンの電源ＯＮ信号を受信後、近傍にある携帯電話と通信することで電話番号等の情報を取得してユーザーの照合を行なって機器設定を切り替えるものが存在する。
【特許文献１】特開２００５−１２３７８０号公報（第１図）
【発明の開示】
【発明が解決しようとする課題】
【０００３】
しかし、このような従来技術は、テレビが利用しているユーザーの判別を行なうことで、視聴者の嗜好にあったテレビ番組の提供及び視聴率データの提供であるのみで、リモコン操作によって、個々の要求にあった機器設定に自動的に切り替えられるものではない
そこで本発明は上述した課題を解決するため、リモコンを利用して簡単に電子機器の機器設定を個人の要求にあった設定に切り替えることができる電子機器を提供することを目的とするものである。
【課題を解決するための手段】
【０００４】
本発明は上述したような課題を解決するため、電子機器および電子機器を無線送信により操作するリモートコントローラとを有する電子機器システムにおいて、前記リモートコントローラは、このリモートコントローラに固有の識別コードを記憶する識別コード記憶部と、前記電子機器の電源のオン／オフを指示するための電源スイッチと、前記電子機器へ指示信号を送信する送信部と、前記電源スイッチにより電源オン信号が送信される際に、前記識別コードを同時に送信する通信制御部を具備し、前記電子機器は、前記リモートコントローラから送信された識別コードを受信する受信部と、受信した識別コードを記憶する機器使用情報記憶部と、この識別コードに応じた機器設定情報とを記憶する機器設定情報記憶部と、電源オン後に、前記リモコンから識別コードを伴う制御信号を受信した場合、前記識別コードが前記機器使用情報記憶部に記憶された識別情報と一致するか否かを判断し、一致した場合に受信した制御信号の動作を実行する機器制御部とを具備しているものである。
【発明の効果】
【０００５】
リモコンを利用して簡単に電子機器の機器設定を個人の要求にあった設定に切り替えることができる。
【発明を実施するための最良の形態】
【０００６】
以下、本発明における実施形態について図面を用いて説明する。
【０００７】
図１は本発明の一実施形態における電子機器であるビデオレコーダ及びリモコンを示すブロック図である。以下、ビデオレコーダ及びリモコンの各構成について説明する。
【０００８】
１は録画／再生機能を持ったパーソナルビデオレコーダ（ＶＣＲ）であり放送番組を録画再生したり、光ディスク媒体からの映像再生を行う電子機器である。
【０００９】
２は赤外線などによる近距離通信機能をもった通信端末（リモコン）である図１においては、ユーザ１の使用するリモコンとしている。そして３は、ユーザー２用のリモコンである。 通信端末(リモコン)の識別コード６にあたる部分がユーザ−２のデータとなっている。４は、ユーザー３用のリモコンである。 通信端末(リモコン)の識別コード６にあたる部分がユーザー３のデータとなっている。
【００１０】
５は端末情報部でありユーザ１の識別コードと複数ユーザーによる共通使用時の識別コードを保持している。６はユーザ１専用の識別コードである。
【００１１】
７は複数ユーザーによる共通使用する場合の識別コードである。８は、識別コードの切り替えＳＷでありＰＶＲ１の通信において送信する識別コードをユーザー専用の識別コード６(ユーザ１)または共通で使用する場合の7識別コード(共通)の切り替えを行なう。
【００１２】
９は電源ＳＷ９であり赤外線などの近距離通信によりＰＶＲ１の機器電源のオン／オフを行なうためのＳＷである。１０は、通信制御部でありＰＶＲ１に対する通信において電源ＳＷ９からの電源制御信号またはＰＶＲ１を制御し、その他の制御信号（図示なし）に端末情報５内の識別コードを付加する機能をもつ。
【００１３】
１１は送信部でありＰＶＲ１に対して通信制御部１０からの各種の制御信号と識別コードをＰＶＲ１部の受信部１２に対して送信する。
【００１４】
１２はＰＶＲ１の受信部であり通信端末（リモコン）１乃至３からの各種制御信号と識別コードの 受信を行なう。１３は機器制御部であり機器使用権情報部１７に使用権情報が書かれていない状態において、受信部１２が電源ＯＮ信号と識別コードを受信すると識別コードを機器使用権情報部１７へ書き込み、識別コードに応じて機器設定情報１４とファイル管理情報１５を読み込み機器設定部１６への設定を行なう。また機器使用権情報部１７への使用権設定後の通信においては受信部１２が制御信号を受信すると機器使用権情報部１７を参照し受信した制御信号に付加された識別コードの使用権の有無を判定する。
【００１５】
１４は機器設定部でありユーザー別及び全ユーザー共通用のメニュー画面等の表示設定、録画録音時の仕様設定などの情報が識別コード毎に保存されている。１５は、ファイル管理情報部でありユーザ別及び全ユーザ共通用の録画・録音されたファイルが、識別コード毎に保存されている。１６は、機器設定部であり機器制御部１３が識別コードに応じて機器設定情報１５、ファイル管理情報１５を 読み込み機器設定される。
【００１６】
このような構成において、本実施形態の方式＜１＞〜＜４＞について図２から図５に示すフローチャートを用いて説明する。
【００１７】
＜１＞ユーザ別のファイル管理情報及び機器設定で使用する方式
はじめに図２を用いて、リモコンを用いてユーザ毎のファイル管理情報及び機器設定でＰＶＲを使用する場合の動作について説明する。例としてユーザー１が、自分のファイル管理情報及び機器設定で使用する場合で説明する。
【００１８】
まず、ユーザ１は、リモコン１のコード切り替えＳＷ８を識別コード６（ユーザ１）に切り替える（ステップＳ２０１）。次にユーザ１が電源ＳＷ６を操作すると通信制御部１０は、電源ＯＮ制御信号と 端末情報部５の識別コード６（ユーザ１）を送信部１１からＰＶＲ１の受信部１２に対して送信する（ステップＳ２０２）。
【００１９】
ＰＶＲ１の受信部１２は、ステップＳ２０２でリモコン１より送信された電源ＯＮ信号と識別コード６（ユーザ１）を受信する（ステップＳ２０３）。 そして機器制御部１３は機器電源投入後、受信した識別コード６（ユーザ１）を機器使用権情報部１７に書き込む（ステップＳ２０４）。機器制御部１３は、機器使用権情報部１７に書かれた識別コード６（ユーザ１）に対応する設定情報を機器設定情報部１４とファイル管理情報部１５より読み込み機器設定部１６に設定する（ステップＳ２０５）。
【００２０】
以上の操作により機器使用権情報部１７にはユーザー１の使用するリモコン１の識別コードが設定されユーザ１に対してＰＶＲ１の使用権が与えられ、ユーザー１がリモコン１を使用しＰＶＲ１を利用可能な状態が設定され、以後、ユーザ１は希望する操作の制御信号を送る際に識別コード６（ユーザ１）が付加され送信され、機器設定されたＰＶＲ１とリモコン１を用いた実行動作に進む。
【００２１】
ＰＶＲ１の受信部２がリモコン１からの制御信号と識別コード６（ユーザ１）を受信すると（ステップＳ２０６）、機器制御部１３は、機器使用権情報１７を参照し受信した識別コードと同じであるかを確認する（ステップＳ２０７）。そして受信した識別コードと機器使用権情報１７が同じであれば（ステップＳ２０７のＹ）、受信した制御信号の動作を実行する（ステップＳ２０８）。一方機器使用権情報が同じでなければ（ステップＳ２０７のＮ）、たとえばユーザ２、ユーザ３から送信された場合は、制御信号の動作を行なわい。そして機器使用権のないユーザの送信に対しては、表示、あるいは音による警告、あるいはＬＥＤ等の点灯、点滅などにより機器使用権のないことを通知する（ステップＳ２０９）。
【００２２】
その後、ユーザ１が、ＰＶＲ１の使用を終了する場合には、リモコン１を操作しＰＶＲ１に電源ＯＦＦの制御信号と 識別コード６（ユーザ１）を送信し、ＰＶＲ１が受信する（ステップＳ２１０）。する機器制御部１３は、機器使用権情報１７を参照し機器使用権のある通信端末であることを判別し（ステップＳ２１１のＹ）電源ＯＦＦの制御を行なう（ステップＳ２１２）。
【００２３】
＜２＞複数ユーザが共通の機器設定及びファイル管理情報を使用する方式。
【００２４】
図３は、複数ユーザが共通の機器設定及びファイル管理情報を使用する動作を示すフローチャートである。まずユーザは、リモコン１、リモコン２、リモコン３のうちいずれかのコード切り替えＳＷを識別コード７（共通）に設定する（ステップＳ３０１）。次にユーザーが、電源ＳＷ６を操作すると通信制御部１０は、電源ＯＮ信号と端末情報部５の識別コード（共通）を 送信部１１からＰＶＲ１の受信部１２に対して送信する（ステップＳ３０２）。
【００２５】
そして、ＰＶＲ１の受信部１２は、リモコン１より送信された電源ＯＮ信号と識別コード７（共通）を受信する（ステップＳ３０３）。機器制御部１６は、機器電源投入後、受信した識別コード７（共通）を 機器使用権情報部１７に書き込む（ステップＳ３０４）。次に機器制御部１３は、機器使用権情報部１７に書かれた識別コード７（共通）に対応する設定情報を機器設定情報部１４とファイル管理情報部１５より読み込み機器設定部１６に設定する（ステップＳ３０５）。  
このような操作により 機器使用権情報部１７には全ユーザー使用時の共通の識別コードが設定され全ユーザーに対してＰＶＲの使用権が与えられる。そして  全ユーザーは、以降の操作においては（１）で説明した時と同様に各々のリモコンのコード切り替えＳＷを識別コード(共通)に設定した状態で使用することでＰＶＲ１に対し希望する操作の制御信号を送る際には、識別コード(共通)が付加され送信される。
【００２６】
そして、ＰＶＲ１の受信部１２が、リモコン１からの制御信号と識別コード７（共通）を受信すると（ステップＳ３０６）、機器制御部１３は、機器使用権情報１７を参照し受信した識別コードと同じであることを確認し、受信した制御信号の動作を実行する（ステップＳ３０７）。さらにユーザーは、ＰＶＲ１の使用を終了する場合には、電源ＯＦＦの制御信号と識別コード７（共通）を送信し、受信部１２が、電源ＯＦＦ制御信号と識別コード７（共通）を受信すると（ステップＳ３０８）、機器制御部１３は、機器使用権情報１７を参照し機器使用権のある通信端末であることを判別し機器使用権情報部１７の内容をクリアすると共に電源ＯＦＦの制御を行なう（ステップＳ３０９）。
【００２７】
＜３＞ユーザ別のファイル管理及び機器設定状態においても部分的に他のユーザ使用を許可する方式。
【００２８】
上記（１）においてはユーザー別に使用している場合にはその他のユーザーは機器の使用を全くできない方式をとっていたがｃｈ変更やボリューム変更など個人管理のファイル情報に関係しない機器操作については部分的に他のユーザーの使用を許可する方式も考えられる。そこで、図４のフローチャートでは制御信号の種類を判別し使用権の無いユーザーでも実行可能な制御か判定を加えているものである。
【００２９】
例としてユーザー１に機器の使用権がある状態で他のユーザーが機器の操作をする場合で説明する。
【００３０】
ユーザー１は、リモコン１のコード切り替えＳＷを識別コード６（ユーザ１）に切り替える（ステップＳ４０１）。ユーザー１が、 電源ＳＷ６を操作すると通信制御部１０は、電源ＯＮ信号と端末情報部５の識別コード６（ユーザ１）を送信部１１からＰＶＲ１の受信部１２に対して送信する（ステップＳ４０１）。ＰＶＲ１の受信部１２は、リモコン１より送信された電源ＯＮ信号と識別コード６（ユーザ１）を受信する（ステップＳ４０３）。 機器制御部１３は、機器電源投入後、受信した識別コード６（ユーザ１）を 機器使用権情報部１７に書き込む（ステップＳ４０４）。
【００３１】
機器制御部１３は、機器使用権情報部１７に書かれた識別コード６（ユーザ１）に対応する設定情報を機器設定情報部１４とファイル管理情報部１５より読み込み機器設定部１６に設定する（ステップＳ４０５）。上述の操作により機器使用権情報部１７にはユーザー１の使用するリモコン１の識別コード６が設定されユーザー１に対してＰＶＲ１の使用権が、与えられる。そしてユーザー1がリモコン１を使用しＰＶＲ１に対し希望する操作の制御信号を送る際には識別コード６（ユーザ１）が付加され送信される。
【００３２】
そして、ＰＶＲ１１の受信部１２が、リモコン１からの制御信号と識別コード６（ユーザ１）を受信する（ステップＳ４０６）と機器制御部１３は、機器使用権情報１７を参照し受信した識別コードと同じであるかを確認する。受信した識別コードと17 機器使用権情報が同じであれば（ステップＳ４０７のＹ）、受信した制御信号の動作を実行する（ステップＳ４０９）。一方  同じでない場合、例えばユーザー２が3通信端末2を使用して制御信号を送信した場合（ステップＳ４０７のＮ）、機器制御部１３は、受信した制御信号の内容によりユーザー１以外のユーザーでもあらかじめ許可された制御（例えばｃｈ変更、ボリュームの変更など個人のファイル管理情報に関係しない制御）であるならば（ステップＳ４０８のＹ）、制御信号の実行を行い、許可されない制御（個人ファイルの再生消去、リストの閲覧など）ならば（ステップＳ４０８のＮ）、その制御を実行しないで、機器使用権のない制御信号の送信に対しては、表示、あるいは音による警告、あるいはＬＥＤ等の点灯、点滅などにより機器使用権のないことを通知する（ステップＳ４１３）。
【００３３】
その後、ユーザー１が、ＰＶＲ１の使用を終了する場合には、リモコン１を操作しＰＶＲ１に電源ＯＦＦの制御信号と識別コード６（ユーザ１）を送信する（ステップＳ４１０）。
【００３４】
受信部１２が、電源ＯＦＦ制御信号と識別コード６（ユーザ１）を受信すると機器制御部１３は、機器使用権情報１７を参照し機器使用権のある通信端末であることを判別し（ステップＳ４１１のＹ）、機器使用権情報部１７の内容をクリアすると共に電源ＯＦＦの制御を行なう（ステップＳ４１２）。
【００３５】
＜４＞リモコンを使用しているユーザーが本人であるかの認証も行なう方式。
【００３６】
上述した＜１＞〜＜３＞においてはリモコン所有者が自分のリモコンを使用することを前提にした方式であるがユーザが別のユーザーのリモコンを使用してしまう場合も想定できる。この場合にはリモコンの使用者が正規のユーザーであることを確認するパスワードによる本人認証の仕組みも追加した方式で対応できる。例として図５のフローチャートを用いて、ユーザー２がユーザー１のリモコン１を使用した場合で説明する。
【００３７】
まず、ユーザー２が、ユーザー１のリモコン１を使ってユーザー１のファイル管理１５の情報を盗み見しようとしたとする。ユーザー２は、ユーザー１用のコード切り替えＳＷ８を識別コード６（ユーザ１）に切り替える（ステップＳ５０１）。
【００３８】
ユーザー２が、リモコン１の電源ＳＷ６を操作すると通信制御部１０は、電源ＯＮ信号と端末情報部５の識別コード６（ユーザ１）を送信部１１からＰＶＲ１１の受信部１２に対して送信する（ステップＳ５０２）。ＰＶＲ１の受信部１２はリモコン１より送信された電源ＯＮ信号と識別コード６（ユーザ１）を受信する（ステップＳ５０３）。
【００３９】
機器制御部１３は、正規ユーザーからの送信であることを確認するためにパスワード入力待ち状態となり表示あるいは音による警告、あるいはＬＥＤ等の点灯、点滅などによりパスワード入力を使用者に求める（ステップＳ５０５）。ユーザーは、パスワード入力要求に対してリモコン１の各種キーボタン１８によりあらかじめ設定しておいたパスワードを入力する。通信制御１０は、送信部１１より入力されたパスワードを受信部１２に対して送信する。勿論、正規ユーザー１は、正しいパスワードを入力可能であり、不正使用者であるユーザー２は、正しいパスワードの入力ができない。
【００４０】
機器制御部１３は、パスワード情報１９を参照し受信部１２が受信したパスワードとの比較を行い（ステップＳ５０６）、正規ユーザーからの送信であるかを確認する（パスワード情報１９には各リモコンに対応したパスワード情報が記録されている）。
【００４１】
１３機器制御部は、正規ユーザーからの送信であることを確認できた場合（ステップＳ５０６のＹ）には、 機器制御部１３は、機器使用権情報部１７に書かれた識別コード６（ユーザ１）に対応する設定情報を機器設定情報部１４とファイル管理情報部１５より読み込み機器設定部１６に設定する（ステップＳ５０７）。
【００４２】
正規ユーザーではないと判断した場合（ステップＳ５０６のＮ）にはパスワード入力状態のままとしＰＶＲ１の操作を停止させる（ステップＳ５０８）。
【００４３】
このような操作によりリモコン１を正規ユーザー１が操作した場合のみ機器使用権情報部１７にリモコン１の識別コードが設定されユーザー１に対してＰＶＲ１の使用権が与えられる。
【００４４】
ユーザー1が、リモコン１を使用しＰＶＲ１に対し希望する操作の制御信号を送る際に識別コード６（ユーザ１）が付加され送信され、ＰＶＲ１の受信部１２が、 リモコン１からの制御信号と識別コード６（ユーザ１）を受信すると（ステップＳ５０９）、機器制御部１３は、機器使用権情報１７を参照し受信した識別コードと同じであるかを確認する（ステップＳ５１０）。受信した識別コードと機器使用権情報１７が同じであれば（ステップＳ５１０のＹ）、受信した制御信号の動作を実行する（ステップＳ５１３）。このような手順で正規ユーザーは、パスワード認証により自分のファイルデータを保護できるが、本人による認証後、他のユーザーにリモコンを使用された場合でも個人ファイル情報を保護したい場合には任意の時間が経過した場合に再度パスワードによる認証を行なう。
【００４５】
この場合、機器制御部１３が機器使用権情報１７の参照を行ない受信した識別コードと同じと判定した場合にタイマーをリセットする。タイマーは、あらかじめ指定しておいた任意の時間が経過すると（ステップＳ５１１）、機器制御部１３に通知する。通知を受けた機器制御部１３は、パスワード入力を求める表示、あるいは音による警告、あるいはＬＥＤ等の点灯、点滅などにより使用者にパスワード入力を求める（ステップＳ５０４）。正規のユーザーならばリモコン１の各種キーボタン１８を操作して正しいパスワードを入力し送信可能である。機器制御部１３は、パスワード情報１９を参照し受信部１２が受信したパスワードとの比較を行い正規ユーザーからの送信であることを確認するとパスワード入力要求を解除する。パスワードが正しくない場合には不正なユーザー使用と判断し機器制御を停止し正しいパスワード入力されるまで入力待ち状態にする。
【００４６】
ユーザー１は、ＰＶＲ１の使用を終了する場合には、リモコン１を操作し電源ＯＦＦの制御信号と識別コード６（ユーザ１）を送信し、受信部１２が、電源ＯＦＦ制御信号と識別コード６（ユーザ１）を受信すると機器制御部１３は、機器使用権情報１７を参照し機器使用権のある通信端末であることを判別すると共に上記４と同様にパスワード入力による認証を行なう。パスワード認証された場合には機器使用権情報部１７の内容をクリアすると共に電源ＯＦＦの制御を行なう。パスワード認証されない場合には電源ＯＦＦ制御は行なわず現状の制御を続行する。
【００４７】
以上説明したように、本実施形態によれば、通信端末（リモコン）にユーザーを特定する識別コードを持たせ制御信号の送信において識別コードを付加して送信する機能とパーソナルビデオレコーダに受信したユーザーの識別コードを判別し機器設定及びファイル管理を行なう機能を設けることで簡易にユーザー別のファイル管理及び機器設定が可能となる。
【００４８】
また、通信端末（リモコン）に全ユーザー共通用の識別コードとコード切り替えＳＷを設けコードの切り替え機能を持たせることで１つの通信端末においてユーザー別のファイル管理及び機器設定だけでなく全ユーザーが同じファイル管理情報,同じ機器設定で使用する通常の使用方法も損なわずに任意にユーザーが使用方法を選択可能なる。
【００４９】
また、パーソナルビデオレコーダに送信された制御信号の内容に応じて制御の実行を許可する/許可しないの判定機能を設けたことによりユーザー別の機器制御状態においても任意の制御については他のユーザーによっても実行できるようになる。
【００５０】
そしてパスワードによる本人認証機能を設けたことにより不正なユーザーが正規ユーザーのリモコンを使用した場合においても正規ユーザーの個人ファイル情報を保護することができるようになる。
【図面の簡単な説明】
【００５１】
【図１】本発明の一実施形態を示す電子機器のシステム構成を示すブロック図である。
【図２】同実施形態の動作を示す方式１を説明するためのフローチャートである。
【図３】同実施形態の動作を示す方式２を説明するためのフローチャートである。
【図４】同実施形態の動作を示す方式３を説明するためのフローチャートである。
【図５】同実施形態の動作を示す方式４を説明するためのフローチャートである。
【符号の説明】
【００５２】
１…ＰＶＲ、２…リモコン、６…識別コード（ユーザ１）、７…識別コード（共通）、８…識別コード切り替えスイッチ、９…電源スイッチ、１０…通信制御部、１１…送信部、１２…受信部、１３…機器制御部、１４…機器設定情報部、１５…ファイル管理情報部、１６…機器設定部、１７…機器使用情報記憶部、１９…パスワード情報記憶部。
【図１】
2007251349.tif 000003
【図２】
2007251349.tif 000004
【図３】
2007251349.tif 000005
【図４】
2007251349.tif 000006
【図５】
2007251349.tif 000007